(57)【要約】      （修正有）【課題】１つの用紙に２つの画像をコピーしたものをあとで裁断して用いるものにおいて、最適なパンチ処理の方法、および指示方法を提供する。【解決手段】ダブルコピー機能や、回転ダブルコピー機能を選択した状態で、パンチ機能の選択をした場合は、自動的に用紙の長手方向の両端の所定の位置にパンチ処理を行うサイドパンチ設定が選択される。【選択図】図１９
2005257959.tif 000002
【特許請求の範囲】
【請求項１】
１枚の用紙の同一面に２つの原稿画像データを並べて印字するダブルコピー機能を選択するダブルコピー機能選択手段と、用紙の所定の位置にパンチ処理を行うパンチ機能を選択するパンチ機能選択手段と、前記ダブルコピー機能と前記パンチ機能がともに選択されたことを条件として、用紙の第１の面の第１の画面には原稿画像データを第１の方向で印字し、かつ用紙の第１の面の第２の画面には原稿画像データを第１の方向から１８０゜回転させた第２の方向で印字する回転ダブルコピー機能が選択されるとともに、用紙の両端の所定の位置にパンチ処理がされるダブルコピー機能選択制御手段を有することを特徴とする画像形成装置。
【発明の詳細な説明】
【技術分野】
【０００１】
本発明は複写機、ファクシミリ、プリンタなどの機能を有する複合装置などの画像形成装置、特に、１枚の用紙の同一面に２つの画像を並べて印字することのできる画像形成装置に関する。
【背景技術】
【０００２】
従来、用紙のサイズに関わらずコピーカウントを同じ価格設定にしている場合が多い。これは例えばＡ４サイズの用紙１枚にコピーするのもＡ３サイズの用紙１枚にコピーする場合も同じカウント数となる。従来技術１としては、このようなカウント設定になっている画像形成装置を用いて、例えばＡ４サイズの用紙にコピーしたものが２枚欲しい場合は、Ａ３サイズの１枚の用紙の同一面に２つのＡ４サイズの画像を並べてコピーしたあと１画像単位で裁断すると、カウントの節約になり経費の節減ができる（例えば特許文献１を参照。）。
【０００３】
従来技術２としては、１つの用紙のセンターで２つ折りにしたときに、折ったときの辺の位置に対してパンチ穴を施したように４穴あける技術がある（例えば特許文献２を参照。）。
【特許文献１】特開２００２−２８１２７８号公報
【特許文献２】特開２００２−６８５７７号公報
【発明の開示】
【発明が解決しようとする課題】
【０００４】
上記特許文献１にある、１つの用紙に２つの画像をコピーしたものをあとで裁断して用いる技術においてはパンチ処理をすることはなかった。例えば、従来のパンチ処理の指示としては、図１１の（ａ）のパンチ設定画面に示すように、原稿画像に対するパンチの位置を選択し、この指示に従いパンチ処理が行われていた。処理の手順としては、まず、図１１の右側にある原稿セットの指示に従い、原稿上辺の位置に応じて「奥」キー、または「左」キーのいずれかを選択する。続いて、原稿トレイにセットされた原稿の幅及び長さを自動検知した結果から、搬送の方向が横方向か縦方向かを判断し、これら「奥」キー、「左」キーの選択状態と、原稿の搬送方向が横か縦かに基づき、表１に示すテーブルを用いて原稿がポートレートがランドスケープかを判別する。続いて、画面右にある穴位置の指示である「左」キー、「右」キー、「上」キーの選択状態と、上記原稿がポートレートまたはランドスケープであるかに基づき、表２に示すテーブルを用いて、この原稿画像に応じた所定の位置にパンチ穴位置の処理が行われる。このような通常のパンチ穴と用紙の辺からの距離は約１０ｍｍであり、穴の直径は約５〜６ｍｍである。つまり、穴の外周と用紙の辺で一番短い距離は約７ｍｍであるが、通常はこれでも充分な強度と言える。
【０００５】
【表１】
2005257959.tif 000003
【０００６】
【表２】
2005257959.tif 000004
上記パンチ処理の技術と、集約の２イン１機能を併用した場合は、上記表２の代わりに表３に示すテーブルを用いてパンチ処理の穴位置が決定される。この表を見てわかるように、集約された画像を印字した１枚の用紙に対するパンチ処理がされるので、パンチ処理したものをあとで裁断して用いるということはできなかった。
【０００７】
【表３】
2005257959.tif 000005
そこで、上記特許文献１にある技術に、上記特許文献２を応用すれば、１つの用紙に２つの画像をコピーしたものをあとで裁断して用いるものにも、各々の用紙にパンチ処理がされることになるが、それでも、画像に対する位置関係などを指定する必要や、応用するための処理に工夫が必要である。本願発明の目的は、１つの用紙に２つの画像をコピーしたものをあとで裁断して用いるものにおいて、最適なパンチ処理の方法、および指示方法を提供することを目的とする。
【課題を解決するための手段】
【０００８】
上記課題を解決するために、本願第１の発明は、１枚の用紙の同一面に２つの原稿画像データを並べて印字するダブルコピー機能を選択するダブルコピー機能選択手段と、用紙の所定の位置にパンチ処理を行うパンチ機能を選択するパンチ機能選択手段と、前記ダブルコピー機能と前記パンチ機能がともに選択されたことを条件として、用紙の第１の面の第１の画面には原稿画像データを第１の方向で印字し、かつ用紙の第１の面の第２の画面には原稿画像データを第１の方向から１８０゜回転させた第２の方向で印字する回転ダブルコピー機能が選択されるとともに、用紙の両端の所定の位置にパンチ処理がされるダブルコピー機能選択制御手段を有することを特徴とする画像形成装置を用いる。
【発明の効果】
【０００９】
本願第１の発明を用いれば、ダブルコピー機能でパンチ処理を選択した場合は、自動的に回転ダブルコピー機能が選択され、かつパンチ穴は裁断される前の用紙の辺の近傍に開けられるので、裁断するときの精度などの影響を受けない。
【発明を実施するための最良の形態】
【００１０】
まず、本願の発明に用いる用語を図１用いて説明する。用紙の第１の面とは、
印字される用紙のオモテ面と定義する。第１の画面とは、用紙の長手方向に２分割したときのどちらか一方の画面のことであり、第２の画面とはもう一方の画面のことである。図中では、左の画面を第１の画面とし、右の面を第２の画面としている。第１の方向とは、用紙上の原稿画像の方向であり、図中は第１の画面において、ポートレートで「Ａ」の文字が上下が正しく印字されている。この第１の方向と１８０゜回転させた方向である第２の方向には第２の画面において、ポートレートで「Ｂ」の文字が上下が逆に印字される。
【００１１】
それでは、本願発明を採用する複合装置を図２の概略図に基づいて説明する。同図にこの複合装置１はコピー、プリンタ、ファクシミリ、スキャナの機能を有する複合装置で、ＣＰＵ２、ＲＯＭ３、ＲＡＭ４、メール作成手段５、プリンタコントローラ６、プリンタ部７、後処理装置用Ｉ／Ｆ８、後処理装置９、操作パネル１０、スキャナ用Ｉ／Ｆ１１、スキャナ部１２、自動原稿搬送装置１３、画像記憶手段１４、ビットマップメモリ１５、ＣＯＤＥＣ１６、モデム１７、ＮＣＵ１８、公衆回線１９、ネットワークＩ／Ｆ２０、バス２１などから構成されている。またこの複合装置１はネットワークケーブル２２を介してＰＣ（２４，２５）やプリンタ２３と接続されている。
【００１２】
詳しくは、前記ＣＰＵ２は当該画像形成装置１の各構成を制御しており、各種プログラムを記憶した前記ＲＯＭ３、ユーザーチョイスデータ、設定情報、トータルカウントデータ、各種フォントデータなどを記憶した前記ＲＡＭ４に接続されている。
【００１３】
メール作成手段５は、ネットワークスキャナ機能において用いるもので、スキャナ部１２で読み取られた画像データを、予め登録した相手先へ電子メールに添付して送信するときの電子メールを作成する手段である。
【００１４】
前記プリンタコントローラ６は、接続されたパソコンから送信され、画像記憶手段１４の受信領域に格納されているプリントコマンド（ＰＤＬ）やジョブ情報を解析し、中間言語情報を生成するものである。この中間言語情報は画像記憶手段１４の中間言語情報記憶領域に格納される。
【００１５】
前記プリンタ部７は、前記ビットマップメモリ１５に展開されている画像データを順次このプリンタ部７の作像部のＬＳＵ又はＬＰＨなどの潜像を書き込む光学装置に送り、この作像部でトナー像を形成し、これを給紙カセットから順次給紙、搬送される用紙に転写し、定着、排紙される。
【００１６】
前記後処理装置用Ｉ／Ｆ８と前記後処理装置９は、この複合装置１から印刷されて排出される印刷物に、ステイプル、パンチなどの後処理、ソート、グループなどの仕分けなどを行う後処理装置９と、これを複合装置１本体と接続するためのインターフェース及びケーブルである。
【００１７】
前記操作パネル１０は、図３に示すように大型のＬＣＤデバイスであるＬＣＤ表示部１０１、スタートキー１０２、ストップクリアキー１０３、リセットキー１０４（オールクリアキー）、初期設定キー１０５、節電キー１０６などの複数の操作キーから構成されている。この画像形成装置は複合装置なので操作表示部はコピー機能画面、プリンタ機能画面、ファクシミリ機能画面、スキャナ機能画面を操作パネル１０の左にある選択キーにより切り替え可能である。
【００１８】
前記ＬＣＤ表示部１０１に表示される画面は、コピー機能においては、図４に示す基本画面と、この画面の下にある複数のタブのうち「ユーザー機能」を選択すると「ユーザー機能画面」（機能画面の１つ）が表示される。さらに「機能リスト」のタブを選択すると、図５に示す「機能リスト画面」（機能画面の１つ）などが表示される。その他、プリンタ機能、ネットワークスキャナ機能、ファクシミリ機能の画面に切り替えることができる。
【００１９】
スキャナＩ／Ｆ１１は、この複合装置１の上に置かれたスキャナ部１２とケーブルを介して接続し、このスキャナ部１２と自動原稿搬送装置１３を制御するためのインターフェースである。
【００２０】
前記スキャナ部１２は、自動原稿搬送装置１３で１枚づつフィードされる、または１枚をコンタクトガラス上に置いた原稿にハロゲンランプまたは蛍光灯で光を当てその反射光をＣＣＤセンサで読み取り、このアナログ信号をＡ／Ｄ変換でデジタル信号に変換し画像処理部で画像処理をして後段のビットマップメモリ１５に展開され、コピー機能においては、このビットマップメモリ１５に展開された画像はＣＯＤＥＣ１６で符号化されて前記画像記憶手段１４に格納される。さらに、このビットマップメモリ１５は、前記スキャナ部１２からの画像データの他、ネットワークなどを介して接続されたパソコンから転送されてくるプリントコマンドを前記プリンタコントローラ７で解析し生成される中間言語情報、相手方ファクシミリ２６から公衆回線１９、ＮＣＵ１８、モデム１７を介して送られてくる画像データを必要に応じてＣＯＤＥＣ１６で伸張しフルビットマップの画像データとして展開、保持する手段である。このＣＯＤＥＣ１６は、プリントデータに含まれる画像データの符号化されたものを復号化するためにも用いられる。
【００２１】
前記画像記憶手段１４は、上述したコピー機能や受信画像領域や中間言語領域の他、通常ファクシミリのメモリ送信、予約送信を行う場合に、スキャナ部１２で読み取った画像データをＣＯＤＥＣ１６で符号化して記憶する。またスキャナ機能を用いる場合は、スキャナ部１２で読み取った画像データをＣＯＤＥＣ１６で符号化して記憶したものを外部のパソコンから読み取ることもできるし、同じようにファクシミリのポーリング機能では、相手方ファクシミリから読み出すことも可能である。近年は画像形成装置に比較的大きい容量の画像データ格納用のハードディスクを用いて画像メモリとしているのも多い。
【００２２】
前記モデム１７は、公衆回線１９から送信されてくるアナログ信号をデジタル信号に変換し、また逆にデジタル信号をアナログ信号に変換して公衆回線で送信するためのものであり、変調、復調を行ったり、ＨＤＬＣフレームのみを受信するなど行う。前記ＮＣＵ１８は、公衆回線への接続、ファクシミリと電話の切り替え、回線へのオンフック信号の送出、リング検出などを行う。
【００２３】
ネットワークＩ／Ｆ２０は、当該複合装置１をネットワークに接続するインターフェースである。ここではパソコン（２４、２５）やプリンタ２３や図示していないその他の接続機器とネットワークケーブル２２を介して接続されている。
【００２４】
前記バス２１は、上述した各構成のデータや信号のやり取りを行うバスである。それぞれ画像データ用のバスや制御信号用のバスがあるが、ここでは略して１つで表している。
【００２５】
続いて、本願発明を採用する複合装置で、ダブルコピー機能や回転ダブルコピー機能を設定するための表示について説明する。まず、上記図５の機能リスト画面の複数の機能選択キーの中から、図中の上から２段目の右にある、「ダブル」キーを選択すると、図６のダブルコピー機能設定画面に切り替わる。この表示状態では、ダブルコピー機能は選択されておらず、この表示画面で画面左に並んだ３つのキーの「ダブル」キーを選択すると、図７の表示に切り替わり、従来技術１に記載されたものと同じようなダブルコピー機能が選択される。また、「回転ダブル」キーを選択すると、図８の表示に切り替わり回転ダブルコピー機能が選択される。
【００２６】
上記ダブルコピー機能は、従来技術１に記載された技術で、図９の（ａ）に示すように、２つの原稿画像を１つの用紙に並べて印字し、印字された用紙を長手方向のセンターで裁断して用いる。また、回転ダブルコピー機能は、図９の（ｂ）に示すように、用紙の第１の面の第１の画面には原稿画像データを第１の方向で印字するとともに、用紙の第１の面の第２の画面には原稿画像データを第１の方向から１８０゜回転させた第２の方向で印字して、この印字された用紙を長手方向のセンターで裁断して用いることにより、原稿画像に対する裁断された辺の位置が用紙束を通じて同じになるものである。
【００２７】
上記図７、８では、「ダブル」、「回転ダブル」の選択キーその右にある上下２つのキーのうち上を選択すると、１枚の用紙に同じ画像が並んで印刷されるモードとなり、下のキーを選択すると、Ｐページの画像を用紙の１枚目からＮ枚目までの第１の画面には１〜Ｎページの画像が印字されており、１〜Ｎ枚目までの第２の画面には、Ｎ＋１〜Ｐページ（Ｐが奇数の場合はＮ枚目の第２画面は白紙となる）の画像が印字されるモードとなる。さらにその右には、裁断用の目印を印字するためのキーが設けられており、画面のさらに右には、原稿の画像方向とセット向きなどを選択するキーが設けられている。
【００２８】
パンチ処理を行う場合は、前記図５の機能リスト画面の複数の機能選択キーの中から、図中の左の下にある、「ソート／仕分け」キーを選択すると、図１０のソート／仕分け機能設定画面に切り替わる。画面の一番左にある選択キーでソートをする／しないを選択し、その右では、仕分けをしない／１部ごと／ページごと、などを選択する。画面上では、ソートする、仕分けはしない、が選択されている。さらにその右には「ステイプル設定」キーがあり、このキーが操作されると図示していない「ステイプル設定画面」に切り替わる。さらその右には「パンチ設定」キーがあり、このキーを操作すると、ダブルコピー機能や回転ダブルコピー機能が選択されていない通常の状態では、従来の技術として説明した図１１の（ａ）に示すパンチの設定画面が表示される。
【００２９】
一方、ダブルコピー機能、または回転ダブルコピー機能を選択した状態でパンチ機能が設定される場合は、前記図１０の「パンチ設定」キーを操作すると、図１２の（ａ）に示すパンチ設定画面が表示される。ここでは設定がまだされていない。この画面の右の「２穴（４穴）」キーを操作すると、ダブルコピー機能が設定されている場合は、図１３に示すパンチ設定画面に切り替わる。この表示画面の右側にある原稿セットの指示に従い、原稿上辺の位置に応じて「奥」キー、または「左」キーのいずれかを選択し、続いて、原稿トレイにセットされた原稿を自動検知して搬送の方向が横方向か縦方向かを判断し、これら「奥」キー、「左」キーの選択状態と、原稿の搬送方向が横か縦かに基づき、表１に示すテーブルを用いて原稿がポートレートがランドスケープかを判別する。続いて、画面右にある穴位置の指示である「左」キー、「右」キー、「上」キーの選択状態と、上記原稿がポートレートまたはランドスケープであるかに基づき、表４に示すテーブルを用いて、この原稿画像に応じたパンチ穴位置の処理が行われる。表中で、△のついた枠は、通常の同時に２穴の処理しかできないものでは選択できない。
【００３０】
【表４】
2005257959.tif 000006
一方、回転ダブルコピー機能が選択された状態でパンチ設定を行おうとすると
ダブルコピーのときと同じように、表４の代わりに表５に示すテーブルを用いて、この原稿画像に応じたパンチ穴位置の処理が行われるようにしてもよい。
【００３１】
【表５】
2005257959.tif 000007
しかし、この表５をみてわかるように、原稿がポートレートの場合は左右の穴の指示ができるが、原稿がランドスケープであれば、一義的に画像の上位置にパンチがされる処理しかできない。そこで、回転ダブルコピーのパンチ設定は、図１４、１５に示すようなパンチ設定画面にし、パンチ穴の位置の指示は、「サイド」キー、または「センター」キーのいずれかを選択して行い、この選択状態と、上記原稿がポートレートまたはランドスケープであるかに基づき、表６に示すテーブルを用いて、この原稿画像に応じたパンチ穴位置の処理が行われる。
【００３２】
【表６】
2005257959.tif 000008
しかし、ここでセンターパンチ設定を行った場合には注意を要するケースがある。たとえば、図１６の（ａ）に示すようなセンター近辺にパンチ穴を開けたものを裁断するときに、ひどく斜めに裁断した場合や、図１６の（ｂ）に示すように、大きくセンターから外れた位置を裁断した場合は、パンチ穴と裁断された辺の距離が短くなることによる冊子の強度不足が発生することがある。このことから、センターパンチを用いる場合は、裁断するときの位置精度を要することに注意を払う必要がある。または、図１７に示すように、サイドパンチ機能における、用紙の両端からパンチ穴の距離よりも、センターパンチ機能における用紙のセンターからパンチ穴への距離を大きくとるなどの工夫をするのもよい。図中では、サイドパンチ機能を選択した状態では用紙端部から各々１０ｍｍの位置にパンチに穴処理がされ、センターパンチ機能を選択した状態では用紙センターから各々１２ｍｍの位置にパンチに穴処理がされる。この場合はセンターパンチ機能を選択した状態であっても、多少なりとも裁断する位置がセンターとずれたとしてもは許容できる。
【００３３】
ダブルコピー機能とパンチ機能がともに選択された場合は、回転ダブル機能に切り替わり、かつ裁断される辺にパンチ穴が開けられる処理について説明する。この場合は、ダブルコピー機能、または回転ダブルコピー機能のいずれかが選択された状態で、パンチ設定を行うときには、図１８に示すパンチ設定画面を表示し、この表示画面の右側にある原稿セットの指示に従い、原稿上辺の位置に応じて「奥」キー、または「左」キーのいずれかを選択し、続いて、原稿トレイにセットされた原稿を自動検知して搬送の方向が横方向か縦方向かを判断し、これら「奥」キー、「左」キーの選択状態と、原稿の搬送方向が横か縦かに基づき、表１に示すテーブルを用いて原稿がポートレートがランドスケープかを判別する。続いて、画面右にある穴位置の指示である「左」キー、「右」キー、「上」キーの選択状態と、上記原稿がポートレートまたはランドスケープであるかに基づき、表７に示すテーブルを用いて、この原稿画像に応じたパンチ穴位置の処理が行われる。
【００３４】
【表７】
2005257959.tif 000009
この表７のテーブルでは、必ず裁断する辺の近辺にパンチ穴の処理がされるようになっており、このテーブルに応じて原稿画像データを回転させて印字する。通常はパンチ穴の処理がされた辺は、冊子として綴じられるときに背表紙となるので、この本願発明を用いた場合の印刷物を綴じて作られる冊子は、裁断された辺が複数積載されて形成される裁断面が多少ギザギザになった場合であっても、これが背表紙となるので許容される。また、このテーブルでは、ポートレートで上パンチ処理や、ランドスケープで左右パンチ処理などのや、設定が不可能な場合は設定が不可である旨をユーザーに知らせる。
【００３５】
しかし、この技術を利用する場合には、センターパンチ機能での問題点と同じように、パンチ穴と裁断された辺の距離が短くなることによる冊子の強度不足が発生するという課題を有していので、裁断するときの位置精度を要することに注意を払う必要がある。
【００３６】
このような問題を解決するために本願発明を用いる。本願発明の処理は、ダブルコピー機能、または回転ダブルコピー機能のいずれかが選択された状態で、パンチ設定を行うときには、図１９に示すパンチ設定画面を表示し、この表示画面の右側にある原稿セットの指示に従い、原稿上辺の位置に応じて「奥」キー、または「左」キーのいずれかを選択し、続いて、原稿トレイにセットされた原稿を自動検知して搬送の方向が横方向か縦方向かを判断し、これら「奥」キー、「左」キーの選択状態と、原稿の搬送方向が横か縦かに基づき、表１に示すテーブルを用いて原稿がポートレートがランドスケープかを判別する。続いて、画面右にある穴位置の指示である「左」キー、「右」キー、「上」キーの選択状態と、上記原稿がポートレートまたはランドスケープであるかに基づき、表８に示すテーブルを用いて、この原稿画像に応じたパンチ穴位置の処理が行うと、確実に用紙の辺とパンチ穴の距離は確保できるので上記問題は解決する。但しこの場合は、冊子の裁断面を背表紙にするという利点は失われることになる。
【００３７】
【表８】
2005257959.tif 000010
以上説明したとおり、本願発明を用いると、１つの用紙に２つの画像をコピーしたものをあとで裁断して用いるものにおいて、最適なパンチ処理の指示方法を提供することができる。
【図面の簡単な説明】
【００３８】
【図１】本願発明の用語を説明するための概略図である。
【図２】本願発明を採用する複合装置及び周辺機器のブロック図である。
【図３】本願発明を採用する複合装置の操作パネルである。
【図４】本願発明を採用する複合装置の操作パネルのＬＣＤ表示部に表示される基本画面である。
【図５】本願発明を採用する複合装置の操作パネルのＬＣＤ表示部に表示される機能リスト画面である。
【図６】本願発明を採用する複合装置の操作パネルのＬＣＤ表示部に表示されるダブルコピー機能を設定するため（設定されていない状態）の画面である。
【図７】本願発明を採用する複合装置の操作パネルのＬＣＤ表示部に表示されるダブルコピー機能に関する設定を行う画面である。
【図８】本願発明を採用する複合装置の操作パネルのＬＣＤ表示部に表示される回転ダブルコピー機能に関する設定を行う画面である。
【図９】ダブルコピー機能と回転ダブルコピー機能を説明するための概略図である。
【図１０】本願発明を採用する複合装置の操作パネルのＬＣＤ表示部に表示される仕分け、ソートを設定するための画面である。
【図１１】複合装置の操作パネルのＬＣＤ表示部に表示されるパンチ穴設定をするための画面である。
【図１２】本願発明を採用する複合装置で、ダブルコピー機能、または回転ダブルコピー機能を選択した状態での操作パネルのＬＣＤ表示部に表示されるパンチ穴設定をするため（設定されていない状態）の画面である。
【図１３】本願発明を採用する複合装置で、ダブルコピー機能を選択した状態での操作パネルのＬＣＤ表示部に表示されるパンチ穴設定をするための画面である。
【図１４】本願発明と関連する技術を用いた複合装置で、回転ダブルコピー機能を選択した状態での操作パネルのＬＣＤ表示部に表示される用紙のサイドへパンチ穴設定をするための画面である。
【図１５】本願発明と関連する技術を用いた複合装置で、回転ダブルコピー機能を選択した状態での操作パネルのＬＣＤ表示部に表示される用紙のサイドへパンチ穴設定をするための画面である。
【図１６】本願発明と関連する技術のセンターパンチ機能を利用してパンチ穴の処理をした用紙に対して、裁断位置の精度を欠いた裁断した場合の概略である。
【図１７】サイドパンチ機能の穴位置とセンターパンチ機能の穴位置の概略である。
【図１８】本願発明と関連する技術を採用する複合装置で、ダブルコピー機能、または回転ダブルコピー機能を選択した状態での操作パネルのＬＣＤ表示部に表示されるパンチ穴設定をするための画面である。
【図１９】本願発明を採用する複合装置で、ダブルコピー機能、または回転ダブルコピー機能を選択した状態でパンチ処理を行う場合の、複合装置の操作パネルのＬＣＤ表示部に表示されるパンチ穴設定をするための画面である。
【図２０】本願発明を採用する複合装置で、ダブルコピー機能、または回転ダブルコピー機能を選択した状態でパンチ処理をした用紙に対して、裁断位置の精度を欠いた裁断した場合の概略である。
【符号の説明】
【００３９】
１；複合装置
２；ＣＰＵ
３；ＲＯＭ
４；ＲＡＭ
５；メール作成手段
６；プリンタコントローラ
７；プリンタ部
８；後処理装置用Ｉ／Ｆ
９；後処理装置
１０；操作パネル
１１；スキャナ用インターフェース
１２；スキャナ部
１３；自動原稿搬送装置
１４；画像記憶手段
１５；ビットマップメモリ
１６；ＣＯＤＥＣ
１７；モデム
１８；ＮＣＵ
１９；公衆回線
２０；ネットワークＩ／Ｆ
２１；バス
２２；ネットワークケーブル
２３；プリンタ
２４、２５；ＰＣ
２６；相手方ファクシミリ
【図１】
2005257959.tif 000011
【図２】
2005257959.tif 000012
【図３】
2005257959.tif 000013
【図４】
2005257959.tif 000014
【図５】
2005257959.tif 000015
【図６】
2005257959.tif 000016
【図７】
2005257959.tif 000017
【図８】
2005257959.tif 000018
【図９】
2005257959.tif 000019
【図１０】
2005257959.tif 000020
【図１１】
2005257959.tif 000021
【図１２】
2005257959.tif 000022
【図１３】
2005257959.tif 000023
【図１４】
2005257959.tif 000024
【図１５】
2005257959.tif 000025
【図１６】
2005257959.tif 000026
【図１７】
2005257959.tif 000027
【図１８】
2005257959.tif 000028
【図１９】
2005257959.tif 000029
【図２０】
2005257959.tif 000030